(57)【特許請求の範囲】
【請求項１】
無線アクセスポイントと、この無線アクセスポイントの配下で無線通信を行なう無線端末とからなる無線ＬＡＮシステムにおける無線端末であって、
特定操作を受け付けて代表端末となってグループ設定の制御を行なうグループ設定制御手段と、
代表端末のとき、前記無線アクセスポイントへ被探索信号出力指示要求を送信する被探索信号出力指示要求手段と、
代表端末のとき、代表端末以外の無線端末が出力する被探索信号の電波強度を監視して近傍の無線端末をグループとして認識し、前記グループとして認識した前記近傍の無線端末へ同一グループであることを通知する近傍端末認識手段と、
代表端末でないとき、前記無線アクセスポイントが送信する被探索信号出力指示を受信して被探索信号を通常より弱い電波強度で出力する被探索信号出力手段と、を有することを特徴とする無線端末。
【請求項２】
請求項１に記載の無線端末を収容する無線アクセスポイントであって、
前記被探索信号出力指示要求を受信したとき、前記配下の無線端末へ前記被探索信号出力指示を送信する被探索信号出力指示手段を有することを特徴とする無線アクセスポイント。
【請求項３】
請求項２に記載の無線アクセスポイントであって、
前記配下に無線接続している無線端末が着信転送の設定が呼制御サーバへ登録されている状態かどうかの情報と所属するグループの代表端末ＩＤとを保持する無線端末情報記憶手段と、
代表端末が送信するグループ決定通知の内容を解析し、前記無線端末情報記憶の代表端末ＩＤの情報を更新するグループ決定通知解析手段と、
前記近傍端末認識手段によりグループとして認識された代表端末以外の無線端末が送信する転送要求を解析し、前記無線端末情報記憶の着信転送の登録状態の情報を更新する転送要求解析手段と、
前記近傍端末認識手段によりグループとして認識された代表端末以外の無線端末が送信する転送解除要求を解析し、前記無線端末情報記憶の着信転送の登録状態の情報を更新する転送解除要求解析手段と、
前記近傍端末認識手段によりグループとして認識された無線端末が送信する代表端末解除を受信したとき、前記無線端末情報記憶の着信転送の登録が有る無線端末の転送登録を解除する設定を呼制御サーバへ行なうことを特徴とする無線アクセスポイント。
【請求項４】
請求項１に記載の無線端末であって、
前記近傍端末認識手段によりグループとして認識された代表端末以外の無線端末は、通常の省電力動作時のスリープ時間より長い時間スリープする、または、通常の省電力動作時より多くの機能ブロックの電源を供給しないようにする第２の省電力動作に切り替わることを特徴とする無線端末。
【発明の詳細な説明】
【技術分野】
【０００１】
本発明は、無線端末および無線アクセスポイントに係り、特に無線端末の節電に配慮した無線端末および無線アクセスポイントに関する。
【背景技術】
【０００２】
従来、携帯電話端末において、着信を待ち受けるための電池消耗を節電するために他の電話端末に着信転送し、携帯電話端末の電源を切る方法がある。着信転送を他の電話端末に設定する場合、手作業による設定する方法が一般的である。しかし、この方法は、ユーザにとって操作が面倒であり、誤操作をする可能性もある。この問題を解決する方法として、特許文献１記載の技術がある。特許文献１記載の技術は、携帯端末が着信転送したい設定先の端末に近づくと設定先の端末は、携帯端末に記憶された識別情報を読み出し、自動的に着信転送の設定を行なう技術であり、この方法を用いれば面倒な入力作業や誤操作をなくすことができる。
【先行技術文献】
【特許文献】
【０００３】
【特許文献１】特開２００６−２７０７３８号公報
【発明の概要】
【発明が解決しようとする課題】
【０００４】
しかし、特許文献１の方法では、着信転送先として設定したい端末に近づかなければならない。
【０００５】
本発明は、上記事情を鑑みてなされたものであり、代表端末は、近傍にある無線端末を自動的にグループとして認識する。グループ配下の非代表端末は、グループの代表端末に着信転送設定する。これによって、節電効果を高めることを目的とする。
【課題を解決するための手段】
【０００６】
上述した課題は、無線アクセスポイントと、この無線アクセスポイントの配下で無線通信を行なう無線端末とからなる無線ＬＡＮシステムにおける無線端末であって、特定操作を受け付けて代表端末となってグループ設定の制御を行なうグループ設定制御手段と、代表端末のとき、前記無線アクセスポイントへ被探索信号出力指示要求を送信する被探索信号出力指示要求手段と、代表端末のとき、代表端末以外の無線端末が出力する被探索信号の電波強度を監視して近傍の無線端末をグループとして認識し、前記グループとして認識した前記近傍の無線端末へ同一グループであることを通知する近傍端末認識手段と、代表端末でないとき、前記無線アクセスポイントが送信する被探索信号出力指示を受信して被探索信号を通常より弱い電波強度で出力する被探索信号出力手段と、を有する無線端末により、達成できる。
【発明の効果】
【０００７】
本発明の無線ＬＡＮシステムによれば、簡易に近傍の端末をグループ化し、グループ内の端末の節電効果を高めることができる。
【図面の簡単な説明】
【０００８】
【図１】無線ＬＡＮシステムの構成を説明するブロック図である。
【図２】無線端末の機能ブロック図である。
【図３】無線アクセスポイントの機能ブロック図である。
【図４】無線端末情報記憶部のテーブルを説明する図である。
【図５】無線端末のグループ設定処理のフローチャートである。
【図６】非代表端末である無線端末のフローチャートである。
【図７】代表端末である無線端末のフローチャートである。
【図８】無線アクセスポイントのフローチャートである。
【図９】被探索信号出力指示要求メッセージのフォーマットである。
【図１０】被探索信号出力指示メッセージのフォーマットである。
【図１１】被探索信号メッセージのフォーマットである。
【図１２】グループ決定通知メッセージのフォーマットである。
【図１３】転送要求メッセージのフォーマットである。
【図１４】グループ端末通知メッセージのフォーマットである。
【図１５】複数の無線端末、無線アクセスポイント、呼制御サーバ間の処理シーケンス図である。
【発明を実施するための形態】
【０００９】
以下、本発明の実施の形態について、実施例を用い図面を参照しながら詳細に説明する。なお、実質同一部位には同じ参照番号を振り、説明は繰り返さない。
まず、図１を参照して、無線ＬＡＮシステムの構成を説明する。図１において、無線ＬＡＮシステム５００は、無線端末１０と無線アクセスポイント２０と呼制御サーバ３０とを備える。無線アクセスポイント２０と呼制御サーバ３０とは、ＬＡＮ５０で接続されている。ＬＡＮ５０は、電話網６０と無線ＬＡＮシステム５００を接続する。
【００１０】
無線端末１０は、無線アクセスポイント２０のいずれかに帰属し、通信を行なう。無線アクセスポイント２０は、無線端末１０の通信データを中継する。無線アクセスポイント２０は、無線端末１０が呼制御サーバ３０および他の端末と通信データの送受信ができるよう制御する。呼制御サーバ３０は、無線端末１０および図示しない他の端末の呼を制御する。
【００１１】
図２を参照して、無線端末１０の詳細な機能構成を説明する。図２において、無線端末１０は、無線通信部１０１、グループ設定制御部１０２、被探索信号出力指示要求部１０３、近傍端末認識部１０４、被探索信号出力部１０５、非代表端末制御部１０６、代表端末確認要求部１０７、代表端末確認応答部１０８、転送設定制御部１０９、省電力モード設定部１１０、電話端末機能部１１１から構成される。
【００１２】
無線通信部１０１は、無線アクセスポイント２０との接続機能、無線データの送受信機能を持つ。無線通信部１０１は、受信した無線データの受信強度の測定を行なう。無線通信部１０１は、電話端末機能部１１１との間で既存の電話機能で使用する無線データの送受信を行なう。無線通信部１０１は、被探索信号出力指示要求部１０３からの指示で、被探索信号出力指示要求を無線アクセスポイント２０へ送信する。無線通信部１０１は、被探索信号を受信したとき、近傍端末認識部１０４へ通知する。無線通信部１０１は、近傍端末認識部１０４からの指示で、グループ決定通知を無線端末１０へ送信する。無線通信部１０１は、被探索信号出力指示を受信したとき、被探索信号出力部１０５へ通知する。
【００１３】
無線通信部１０１は、被探索信号出力部１０５からの指示で、被探索信号を代表端末へ通常より弱い電波強度で送信する。無線通信部１０１は、代表端末応答要求を受信したとき、代表端末確認応答部１０８へ通知する。無線通信部１０１は、代表端末確認応答部１０８からの指示で、代表端末応答を送信する。無線通信部１０１は、代表端末確認要求部１０７からの指示で、代表端末応答要求を代表端末へ送信する。無線通信部１０１は、代表端末応答を受信したとき、代表端末確認要求部１０７へ通知する。無線通信部１０１は、グループ決定通知を受信したとき、非代表端末制御部１０６へ通知する。
【００１４】
グループ設定制御部１０２は、電話端末機能部１１１からの指示で動作開始したとき、被探索信号出力指示要求部１０３を動作させる。被探索信号出力指示要求部１０３は、グループ設定制御部１０２からの指示で動作開始したとき、被探索信号出力指示要求を送信するように無線通信部１０１に指示し、代表端末確認応答部１０８を動作させる。近傍端末認識部１０４は、無線通信部１０１から通知された被探索信号の電波強度が所定の閾値を超えているかどうかを比較し、被探索信号を送信した無線端末が自無線端末の近傍に位置するかどうかを認識する。近傍端末認識部１０４は、また、被探索信号を送信した無線端末が自無線端末の近傍に位置すると認識したとき、グループ決定通知を被探索信号を送信した無線端末宛てに送信するように、無線通信部１０１へ指示する。
【００１５】
被探索信号出力部１０５は、無線通信部１０１から被探索信号出力指示の受信を通知されたとき、被探索信号を代表端末へ送信するように無線通信部１０１へ指示する。非代表端末制御部１０６は、無線通信部１０１からグループ決定通知を受信したことを通知されたとき、代表端末確認要求部１０７を動作させる。非代表端末制御部１０６は、また、無線通信部１０１からグループ決定通知を受信したことを通知されたとき、転送設定制御部１０９へ転送登録を開始するよう指示し、省電力モード設定部１１０へ第二の省電力モードを設定するよう指示する。さらに、非代表端末制御部１０６は、代表端末確認要求部１０７からの指示があったとき、転送設定制御部１０９へ転送登録を解除するよう指示し、省電力モード設定部１１０へ第二の省電力モードを解除するよう指示する。
【００１６】
代表端末確認要求部１０７は、非代表端末制御部１０６からの指示で動作開始したとき、代表端末応答要求を代表端末へ送信するよう無線通信部１０１へ指示する。代表端末確認要求部１０７は、また、無線通信部１０１から代表端末応答の受信を通知されたとき、所定の時間経過した後に代表端末応答要求を代表端末へ送信するよう無線通信部１０１へ指示する。代表端末確認要求部１０７は、さらに、代表端末応答を所定の時間の間に受信しなかったとき、転送設定の解除と第二の省電力モードの解除を非代表端末制御部１０６へ指示する。
【００１７】
代表端末確認応答部１０８は、被探索信号出力指示要求部１０３からの指示で動作開始した後、無線通信部１０１から代表端末応答要求の受信を通知されたとき、代表端末応答を代表端末応答要求を送信した無線端末宛てに送信するよう無線通信部１０１へ指示する。転送設定制御部１０９は、非代表端末制御部１０６からの指示で、着信転送の設定を登録、または解除するよう電話端末機能部１１１に指示する。省電力モード設定部１１０は、非代表端末制御部１０６からの指示で、第二の省電力モードの設定を実施、または解除するよう電話端末機能部１１１に指示する。
【００１８】
電話端末機能部１１１は、電話端末の既存機能であり、レジスト機能、操作キー入力機能、ＬＣＤ表示機能、音声通話機能、呼制御機能、転送設定機能を持つ。電話端末機能部１１１は、また、転送設定制御部１０９からの指示で、着信転送の設定を登録、または解除するメッセージを呼制御サーバ３０と送受信する。電話端末機能部１１１は、さらに、省電力モード設定部１１０からの指示で、第二の省電力モードの設定を実施／解除する。電話端末機能部１１１は、さらにまた、代表端末となるための特定のキー操作があったとき、グループ設定制御部１０２を動作させる。
【００１９】
図３を参照して、無線アクセスポイント２０の詳細な機能構成を説明する。図３において、無線アクセスポイント２０は、無線・有線通信部２０１、無線端末情報記憶部２０２、被探索信号出力指示部２０３、代表端末解除処理部２０４、グループ決定通知解析部２０５、転送要求解析部２０６、転送解除要求解析部２０７から構成されている。
【００２０】
無線・有線通信部２０１は、無線端末１０との間で帰属処理を行なう。無線・有線通信部２０１は、また、無線端末１０との間の無線データの送受信を行なう。無線・有線通信部２０１は、無線端末１０とＬＡＮ５０に接続されている他の端末を対象にデータのブリッジ転送を行なう。
【００２１】
無線・有線通信部２０１は、無線端末１０が帰属したとき、無線端末情報記憶部２０２へ無線端末ＩＤを通知する。無線・有線通信部２０１は、無線端末１０から被探索信号出力指示要求を受信したとき、被探索信号出力指示部２０３へ被探索信号出力指示要求を送信した端末ＩＤ（代表端末ＩＤ）を通知する。
【００２２】
また、無線・有線通信部２０１は、代表端末解除を受信したとき、代表端末解除処理部２０４へ内容を転送する。代表端末解除処理部２０４は、無線端末情報記憶部２０２の当該代表端末に関するグループ無線端末のうち転送設定＝“有”に設定されている無線端末の転送解除を呼制御サーバ３０へ送信し、無線端末情報記憶部２０２の転送設定を更新する。
【００２３】
無線・有線通信部２０１は、グループ決定通知が中継されたとき、グループ決定通知解析部２０５へ内容を転送する。グループ決定通知解析部２０５は、グループ決定通知のグループ無線端末を抽出し、無線端末情報記憶部２０２のグループ無線端末と代表端末ＩＤを更新する。
【００２４】
無線・有線通信部２０１は、転送要求が中継されたとき、転送要求解析部２０６へ内容を転送する。転送要求解析部２０６は、転送要求から転送を要求している無線端末を抽出し、無線端末情報記憶部２０２内の該当する無線端末の転送設定を“有”に設定する。
【００２５】
無線・有線通信部２０１は、転送解除要求が中継されたとき、転送解除要求解析部２０７へ内容を転送する。転送解除要求解析部２０７は、転送解除要求から転送解除を要求している無線端末を抽出し、無線端末情報記憶部２０２内の該当する無線端末の転送設定を“無”に設定する。
【００２６】
無線端末情報記憶部２０２は、後述する無線端末情報記憶テーブル７０を保持する。無線端末情報記憶部２０２は、無線・有線通信部２０１から通知された無線端末ＩＤを無線端末情報記憶テーブル７０に記憶し、被探索信号出力指示部２０３から指示があったとき、無線端末ＩＤの情報を提供する。被探索信号出力指示部２０３は、無線・有線通信部２０１から代表端末ＩＤを通知されたとき、無線端末情報記憶部２０２に帰属している無線端末ＩＤを要求して取得し、取得した無線端末ＩＤ宛に被探索信号出力指示を送信するよう無線・有線通信部２０１に指示する。
【００２７】
図４を参照して、無線端末情報記憶部２０２が保持する無線端末情報記憶テーブルを説明する。図４において、無線端末情報記憶テーブル７０は、無線端末ＩＤ７１、端末種別７２、代表端末ＩＤ７３、転送設定７４のコラムを持つ。無線端末ＩＤ７１は、配下の無線端末のＩＤである。端末種別７２は、代表端末である端末ＩＤを有する無線端末に、代表端末のフラグを立てる。代表端末ＩＤ７３は、当該無線端末の代表端末の無線端末ＩＤを示す。したがって、代表端末の転送設定７４は、”−”である。転送設定７４は、当該無線端末の転送有無のフラグを立てる。したがって、転送先である代表端末の転送設定７４は、”−”である。
【００２８】
図５を参照して、無線端末のグループ設定処理を説明する。図５において、無線端末１０は、電源を投入されると無線アクセスポイント２０と帰属処理を実行する（Ｓ１０１）。無線端末１０は、次に呼制御サーバ３０とレジスト登録処理を実行する（Ｓ１０２）。無線端末１０は、グループ設定開始操作の有無を判定する（Ｓ１０３）。なお、グループ設定開始操作とは、グループ設定開始操作を受け付けた、無線端末を代表端末とする操作である。したがって、ステップ１０４からステップ１０８は、代表端末の処理である。一方、ステップ１１０からステップ１１８は、非代表端末の処理である。
【００２９】
ステップ１０３でＹＥＳのとき、無線端末１０は、被探索信号出力指示要求を無線アクセスポイント２０へ送信する（Ｓ１０４）。無線端末１０は、被探索信号の受信を待つ（Ｓ１０５）。被探索信号を受信したとき、無線端末１０は、近傍端末からの電波強度を判定する（Ｓ１０６）。無線端末１０は、被探索信号を送信した無線端末へグループ決定通知を送信する（Ｓ１０７）。無線端末１０は、代表端末処理を実行し（Ｓ１０８）、本フローを終了する。なお、ステップ１０８の詳細は、図７を参照して後述する。
【００３０】
ステップ１０３でＮＯのとき、無線端末１０は、被探索信号出力指示を受信したか判定する（Ｓ１１０）。ＮＯのとき、無線端末１０は、ステップ１０３に遷移する。ステップ１１０でＹＥＳのとき、無線端末１０は、代表端末へ被探索信号を送信する（Ｓ１１１）。無線端末１０は、グループ決定通知の受信を待つ（Ｓ１１２）。グループ決定通知を受信したとき（ＹＥＳ）、無線端末１０は、表示部に”グループ参加”を表示する（Ｓ１１３）。無線端末１０は、参加操作または不参加操作を待つ（Ｓ１１４）。操作があったとき、無線端末１０は、操作が参加／不参加のいずれか判定する（Ｓ１１５）。不参加操作のとき、無線端末１０は、そのまま終了する。参加操作のとき、無線端末１０は、呼制御サーバ３０に転送要求を送信する（Ｓ１１６）。転送要求を送信した無線端末１０は、第２の省電力モードを設定する（Ｓ１１７）。無線端末１０は、非代表端末処理を実行し（Ｓ１１８）、終了する。なお、ステップ１１８の詳細は、図６を参照して後述する。
【００３１】
図６を参照して、非代表無線端末の動作を説明する。図６において、非代表無線端末１０は、グループ設定解除操作があったか判定する（Ｓ３０１）。ＹＥＳのとき、非代表無線端末１０は、第２の省電力モードを解除する（Ｓ３０２）。非代表無線端末１０は、呼制御サーバ３０へ転送解除要求を送信して（Ｓ３０３）、図５に遷移する。
【００３２】
ステップ３０１で解除操作が無いとき（ＮＯ）、非代表無線端末１０は、ウェイクアップタイミングか判定する（Ｓ３０４）。ＹＥＳのとき、非代表無線端末１０は、代表端末に応答要求を送信する（Ｓ３０５）。非代表無線端末１０は、代表端末応答タイマを起動する（Ｓ３０６）。非代表無線端末１０は、代表端末応答を受信したか判定する（Ｓ３０７）。ＮＯのとき、非代表無線端末１０は、代表端末応答タイマがタイムアウトしたか判定する（Ｓ３０８）。ＮＯのとき、非代表無線端末１０は、ステップ３０７に遷移する。ステップ３０８でＹＥＳのとき、非代表無線端末１０は、呼制御サーバ３０へ転送解除要求を送信する（Ｓ３０９）。非代表無線端末１０は、表示部に”代表端末不在”を表示し（Ｓ３１０）、図５に遷移する。
【００３３】
ステップ３０７でＹＥＳのとき、非代表無線端末１０は、無線アクセスポイント２０への帰属解除を判定する（Ｓ３１１）。ＮＯのとき、非代表無線端末１０は、ステップ３０１に遷移する。ステップ３１１でＹＥＳのとき、非代表無線端末１０は、第２の省電力モードを解除して（Ｓ３１２）、図５に遷移する。ステップ３０４でＮＯのとき、非代表無線端末１０は、ステップ３１１に遷移する。
【００３４】
図７を参照して、代表無線端末の動作を説明する。図７において、代表無線端末１０は、グループ設定解除操作があったか判定する（Ｓ２０１）。ＹＥＳのとき、代表無線端末１０は、無線アクセスポイント２０へ代表端末解除を送信して（Ｓ２０２）、図５に遷移する。
【００３５】
ステップ２０１でＮＯのとき、代表無線端末１０は、着信を受信したか判定する（Ｓ２０３）。ＹＥＳのとき、代表無線端末１０は、代表としての着信（転送着信）か判定する（Ｓ２０４）。ＹＥＳのとき、代表無線端末１０は、接続転送元と接続先を表示部に表示する（Ｓ２０５）。一方、ステップ２０４でＮＯのとき、代表無線端末１０は、接続先を表示部に表示する（Ｓ２０６）。ステップ２０５またはステップ２０６のあと、代表無線端末１０は、呼接続して、通話処理する（Ｓ２０７）。通話終了後代表無線端末１０は、ステップ２１０へ遷移する。なお、ステップ２１０は、後述する。
【００３６】
ステップ２０３でＮＯのとき、代表無線端末１０は、代表端末応答要求を受信したか判定する（Ｓ２０８）。ＹＥＳのとき、代表無線端末１０は、非代表端末へ代表端末応答を送信する（Ｓ２０９）。代表無線端末１０は、無線アクセスポイント２０への帰属解除を判定する（Ｓ２１０）。ＮＯのとき、代表無線端末１０は、ステップ２０１に遷移する。ステップ２１０でＹＥＳのとき、代表無線端末１０は、図５に遷移する。ステップ２０８でＮＯのとき、代表無線端末１０は、ステップ２１０へ遷移する。
【００３７】
ステップ２０７で通話中のときも、ステップ２０８の判定とステップ２０９の代表端末応答の送信を行なう。
【００３８】
図８を参照して、無線アクセスポイント２０の動作を説明する。図８において、無線アクセスポイント２０は、無線端末１０が帰属完了か判定する（Ｓ４０１）。ＹＥＳのとき、無線アクセスポイント２０は、無線端末１０の端末ＩＤを抽出する（Ｓ４０２）。無線アクセスポイント２０は、端末ＩＤを端末情報記憶テーブルにレコードを生成して記録して（Ｓ４０３）、ステップ４０１に戻る。
【００３９】
ステップ４０１でＮＯのとき、無線アクセスポイント２０は、被探索信号出力指示要求を受信したか判定する（Ｓ４０４）。ＹＥＳのとき、無線アクセスポイント２０は、要求を送信した無線端末のＩＤを抽出する（Ｓ４０６）。無線アクセスポイント２０は、抽出したＩＤについて端末情報記憶テーブルのレコードを参照する（Ｓ４０７）。無線アクセスポイント２０は、当該レコードに代表端末として記録する（Ｓ４０８）。無線アクセスポイント２０は、当該レコード以外の無線端末に被探索信号出力指示を送信して（Ｓ４０９）、ステップ４０１に戻る。
【００４０】
ステップ４０４でＮＯのとき、無線アクセスポイント２０は、グループ決定通知を受信したか判定する（Ｓ４１１）。ＹＥＳのとき、無線アクセスポイント２０は、通知からグループ無線端末を抽出する（Ｓ４１２）。無線アクセスポイント２０は、端末情報記憶テーブルのグループ無線端末の代表端末ＩＤを設定して（Ｓ４１３）、ステップ４０１に戻る。
【００４１】
ステップ４１１でＮＯのとき、無線アクセスポイント２０は、代表端末解除を受信したか判定する（Ｓ４１４）。ＹＥＳのとき、無線アクセスポイント２０は、端末情報記憶テーブルの全ての無線端末の転送解除を呼制御サーバ３０に送信する（Ｓ４１６）。無線アクセスポイント２０は、端末情報記憶テーブルの全ての無線端末の代表端末ＩＤをクリアして（Ｓ４１７）、ステップ４０１に戻る。
【００４２】
ステップ４１４でＮＯのとき、無線アクセスポイント２０は、転送要求を受信したか判定する（Ｓ４１８）。ＹＥＳのとき、無線アクセスポイント２０は、転送要求を呼制御サーバ３０に送信する（Ｓ４１９）。無線アクセスポイント２０は、端末情報記憶テーブルの転送要求を送信した無線端末のレコードに転送設定”有”として（Ｓ４２１）、ステップ４０１に遷移する。
【００４３】
ステップ４１８でＮＯのとき、無線アクセスポイント２０は、転送解除要求を受信したか判定する（Ｓ４２２）。ＹＥＳのとき、無線アクセスポイント２０は、転送解除要求を呼制御サーバ３０に送信する（Ｓ４２３）。端末情報記憶テーブルの転送要求を送信した無線端末のレコードに転送設定”無”として（Ｓ４２４）、ステップ４０１に遷移する。ステップ４２２でＮＯのとき、無線アクセスポイント２０は、そのままステップ４０１に遷移する。
【００４４】
図９ないし図１４を参照して、各種メッセージのフォーマットを説明する。
図９において、被探索信号出力指示要求メッセージ６１０は、被探索信号出力指示要求メッセージＩＤ６１１と、代表端末ＩＤ６１２とから構成される。
【００４５】
図１０において、被探索信号出力指示メッセージ６２０は、被探索信号出力指示メッセージＩＤ６２１と、代表端末ＩＤ６２２とから構成される。
【００４６】
図１１において、被探索信号６３０メッセージは、被探索信号メッセージＩＤ６３１と、送信元端末ＩＤ６３２とから構成される。
【００４７】
図１２において、グループ決定通知メッセージ６４０は、グループ決定通知メッセージＩＤ６４１と、代表端末ＩＤ６４２とから構成される。
【００４８】
図１３において、転送要求メッセージ６５０は、転送要求メッセージＩＤ６５１と、対象着信番号６５２とから構成される。
【００４９】
図１４において、グループ端末通知メッセージ６６０は、グループ端末通知メッセージＩＤ６６１と、代表端末ＩＤ６６２と、帰属している無線アクセスポイントＩＤ６６３と、グループ内の端末ＩＤリスト６６４とから構成される。
【００５０】
図１５を参照して、複数の無線端末と、無線アクセスポイントと、呼制御サーバとの間のグループ設定と代表端末への転送の処理シーケンスを説明する。図１５において、各無線端末１０は、無線アクセスポイント２０に帰属要求を送信する（Ｓ７０１）。なお、ステップ７０１は、簡単のため１本の矢印で３回の帰属要求送信を表している。無線端末１０−１と無線アクセスポイント２０は、帰属処理を実施する（Ｓ７０２）。無線端末１０−２と無線アクセスポイント２０は、帰属処理を実施する（Ｓ７０３）。無線端末１０−３と無線アクセスポイント２０は、帰属処理を実施する（Ｓ７０４）。
【００５１】
無線端末１０−１と呼制御サーバ３０は、レジスト登録を実施する（Ｓ７０６）。無線端末１０−２と呼制御サーバ３０は、レジスト登録を実施する（Ｓ７０７）。無線端末１０−３と呼制御サーバ３０は、レジスト登録を実施する（Ｓ７０８）。無線アクセスポイント２０は、無線端末１０−１のレコードを追加する（Ｓ７０９）。無線アクセスポイント２０は、無線端末１０−２のレコードを追加する（Ｓ７１１）。無線アクセスポイント２０は、無線端末１０−３のレコードを追加する（Ｓ７１２）。
【００５２】
代表端末となる特定操作を受け付けた無線端末１０−１は、無線アクセスポイント２０に被探索信号出力指示要求を送信する（Ｓ７１３）。無線アクセスポイント２０は、無線端末１０−１を代表端末として登録する（Ｓ７１４）。無線アクセスポイント２０は、無線端末１０−２に被探索信号出力指示を送信する（Ｓ７１７）。無線アクセスポイント２０は、無線端末１０−３に被探索信号出力指示を送信する（Ｓ７１６）。無線端末１０−３は、被探索信号を送信する（Ｓ７１８）。無線端末１０−２は、被探索信号を送信する（Ｓ７１９）。無線端末１０−１は、これらの被探索信号を受信し、電波強度により、近傍端末と判定する（Ｓ７２０）。
【００５３】
無線端末１０−１は、無線端末１０−２にグループ決定通知を送信する（Ｓ７２１）。無線端末１０−１は、無線端末１０−３にグループ決定通知を送信する（Ｓ７２２）。無線端末１０−２は、グループ参加判定画面を表示する（Ｓ７２３）。無線端末１０−３は、グループ参加判定画面を表示する（Ｓ７２４）。無線端末１０−２は、参加操作を受け付ける。無線端末１０−３は、不参加操作を受け付ける。無線端末１０−２は、代表端末として無線端末１０−１を登録する（Ｓ７２６）。無線端末１０−２は、呼制御サーバ３０に転送要求を送信する（Ｓ７２７）。無線端末１０−２は、第２の省電力モードへ移行する（Ｓ７２８）。転送要求を受信した呼制御サーバ３０は、無線端末１０−２の転送先として無線端末１０−１を設定する（Ｓ７２９）。この状態で、無線端末１０−２への着信を受けた呼制御サーバ３０は、無線端末１０−１に転送・着信させる（Ｓ７３１）。無線端末１０−１は、鳴動する（Ｓ７３２）。
【００５４】
第２の省電力モードは、通常の省電力動作時のスリープ時間より長い時間スリープするようにする。また、通常の省電力動作時より多くの機能ブロックの電源を供給しないようにするなど、通常とは異なる省電力動作に切り替わる。
【符号の説明】
【００５５】
１０…無線端末、２０…無線アクセスポイント、３０…呼制御サーバ、５０…ＬＡＮ、６０…電話網、１０１…無線通信部、１０２…グループ設定制御部、１０３…被探索信号出力指示要求部、１０４…近傍端末認識部、１０５…被探索信号出力部、１０６…非代表端末制御部、１０７…代表端末確認要求部、１０８…代表端末確認応答部、１０９…転送設定制御部、１１０…省電力モード設定部、１１１…電話端末機能部、２０１…無線・有線通信部、２０２…無線端末情報記憶部、２０３…被探索信号出力指示部、２０４…代表端末解除処理部、２０５…グループ決定通知解析部、２０６…転送要求解析部、２０７…転送解除要求解析部、５００…無線ＬＡＮシステム。
【図１】
0005440727.tif 000002
【図２】
0005440727.tif 000003
【図３】
0005440727.tif 000004
【図４】
0005440727.tif 000005
【図５】
0005440727.tif 000006
【図６】
0005440727.tif 000007
【図７】
0005440727.tif 000008
【図８】
0005440727.tif 000009
【図９】
0005440727.tif 000010
【図１０】
0005440727.tif 000011
【図１１】
0005440727.tif 000012
【図１２】
0005440727.tif 000013
【図１３】
0005440727.tif 000014
【図１４】
0005440727.tif 000015
【図１５】
0005440727.tif 000016